(57)【要約】【課題】硬化する前のコンクリートが型枠とベースコンクリートの隙間から漏出することを防ぎ、かつコンクリート中に間隔保持具の残骸を残すことがなく、かつ繰返し使用できるコンクリート型枠用間隔保持具を提供することを目的とする。【解決手段】枠体１０Ａを門形に形成し、型枠ａの下端がベースコンクリートｈに当接した状態で立設できるように構成する。ベースコンクリートｈと型枠ａ下端面の間に隙間が生じないので、型枠ａ間に流し込んだコンクリートｇが型枠ａの外部に漏出することを防ぐことができる。第二に打設後のコンクリートｇ内に間隔保持具１０の残骸が埋設されることが無いので、残骸の腐食によるコンクリートｇの劣化を来さず、かつ間隔保持具１０を繰返して使用することが可能になるので施工コストを低減できる。【選択図】図１
2005146809.tif 000002
【特許請求の範囲】
【請求項１】
一対のコンクリート型枠を所定間隔に保持して対向配置するコンクリート型枠用間隔保持具であって、左右一対の縦枠の上部を上枠で連結して門形に形成した枠体から成り、前記上枠に左右一対の上部係合部を設けるとともに、各縦枠の内面の下端部に下部係合部を設け、コンクリート型枠の上端部を前記上部係合部に係合するとともに、コンクリート型枠の下端部を前記下部係合部に係合することによりコンクリート型枠を前記縦枠の内面に沿って立設保持するように構成したことを特徴とするコンクリート型枠用間隔保持具。
【請求項２】
前記上枠の左右両端部に少なくとも一個の貫通穴を形成するとともに、縦枠に複数個の貫通穴を縦列に形成し、上枠の貫通穴と縦枠のいずれか一個の貫通穴にボルトを挿通して上枠と両縦枠を連結したことを特徴とする請求項１に記載のコンクリート型枠用間隔保持具。
【請求項３】
前記上枠の左右両端部に複数個の貫通穴を横列に形成するとともに、縦枠に少なくとも一個の貫通穴を形成し、上枠のいずれか一個の貫通穴と縦枠の貫通穴にボルトを挿通して上枠と両縦枠を連結したことを特徴とする請求項１に記載のコンクリート型枠用間隔保持具。
【請求項４】
下端部に前記下部係合部を設けたスライドフレームを前記各縦枠の下端面の開口に進退可能に装着し、各縦枠に該スライドフレームを解除可能にロックするロック手段を設けたことを特徴とする請求項１に記載のコンクリート型枠用間隔保持具。
【請求項５】
前記縦枠の外面の下端部に、ベースコンクリートに打ち込む釘用の釘穴を形成したブラケットを固着したことを特徴とする請求項１に記載のコンクリート型枠用間隔保持具。
【請求項６】
前記縦枠に連結用ブラケットを着脱可能に取り付けるための取付穴を形成し、隣り合うコンクリート型枠用間隔保持具に取り付けた連結用ブラケットに連結用バーを横架して両間隔保持具を連結するように構成したことを特徴とする請求項１に記載のコンクリート型枠用間隔保持具。
【発明の詳細な説明】
【技術分野】
【０００１】
本発明は、コンクリート型枠用間隔保持具に関する。
【背景技術】
【０００２】
従来のコンクリート型枠用間隔保持具ａは図８に示すように、短冊状の板材ｂの両端を折曲して外側位置規制片ｃを形成し、各外側位置規制片ｃの内側で板材ａの中間部を切り起こして内側位置規制片ｄを形成し、両位置規制片ｃ，ｄによりコンクリート型枠ｆの端部を係止する型枠嵌合部ｅを形成した構造を備えている。
かかる構造のコンクリート型枠用間隔保持具ａによれば、図８に示すように、対向する一対のコンクリート型枠ｆの下端部をそれぞれ型枠嵌合部ｅに嵌合し、上端部をそれぞれ別の保持具ａの型枠嵌合部ｅに嵌合することで、両コンクリート型枠ｆが所定間隔で立設保持される。
そして、コンクリートｇの硬化後に上側の間隔保持具ａをコンクリート型枠ｆから外すとともに、コンクリート型枠ｆを下側の間隔保持具ａの型枠嵌合部ｅから外し、下側の間隔保持具ａの側面へハンマー等で打撃を加えることで、コンクリートｇから露出した型枠嵌合部ｅを分離する。
【特許文献１】特開平９−４２２５
【非特許文献１】引用なし
【発明の開示】
【発明が解決しようとする課題】
【０００３】
上記の構成による間隔保持具ａは、板材ｂの強度を確保するため幅方向に数個所を折曲し厚みを持たせてある。そのため該間隔保持具ａをベースコンクリートｈ上に設置し、型枠ｆを嵌合すると間隔保持具ａの厚み分だけ型枠ｆがベースコンクリートｈから浮上し、型枠ｆとベースコンクリートｈ間に隙間ができる。この隙間から硬化する前のコンクリートｉが漏出し、見栄えが悪くなる。
【０００４】
また、打設したコンクリートｇに間隔保持具ａの板材ｂが残骸として埋設され、やがて腐食してコンクリートｇの劣化の一因となるだけでなく、型枠ｆの下側に用いた間隔保持具ａは型枠嵌合部ｅを分離するので再使用できず、そのため施工コストが高くなる。
【０００５】
本発明は上記の課題に鑑み為されたものであって、硬化する前のコンクリートが型枠とベースコンクリートの隙間から漏出することを防ぎ、かつコンクリート中に間隔保持具の残骸を残すことがなく、かつ繰返し使用できるコンクリート型枠用間隔保持具を提供することを目的とする。
【課題を解決するための手段】
【０００６】
上記目的を達成するため本発明は、一対のコンクリート型枠を所定間隔に保持して対向配置するコンクリート型枠用間隔保持具であって、左右一対の縦枠の上部を上枠で連結して門形に形成した枠体から成り、前記上枠に左右一対の上部係合部を設けるとともに、各縦枠の内面の下端部に下部係合部を設け、コンクリート型枠の上端部を前記上部係合部に係合するとともに、コンクリート型枠の下端部を前記下部係合部に係合することによりコンクリート型枠を前記縦枠の内面に沿って立設保持するように構成したことを特徴とする。
【０００７】
そして、好ましくは前記上枠の左右両端部に少なくとも一個の貫通穴を形成するとともに、縦枠に複数個の貫通穴を縦列に形成し、上枠の貫通穴と縦枠のいずれか一個の貫通穴にボルトを挿通して上枠と両縦枠を連結する。
【０００８】
また、好ましくは前記上枠の左右両端部に複数個の貫通穴を横列に形成するとともに、縦枠に少なくとも一個の貫通穴を形成し、上枠のいずれか一個の貫通穴と縦枠の貫通穴にボルトを挿通して上枠と両縦枠を連結する。
【０００９】
また、好ましくは下端部に前記下部係合部を設けたスライドフレームを前記各縦枠の下端面の開口に進退可能に装着し、各縦枠に該スライドフレームを解除可能にロックするロック手段を設ける。
【００１０】
また、前記縦枠の外面の下端部に、ベースコンクリートに打ち込む釘用の釘穴を形成したブラケットを固着する。
さらに、好ましくは前記縦枠に連結用ブラケットを着脱可能に取り付けるための取付穴を形成し、隣り合うコンクリート型枠用間隔保持具に取り付けた連結用ブラケットに連結用バーを横架して両間隔保持具を連結するように構成する。
【発明の効果】
【００１１】
本発明によれば、第一に間隔保持具を門形に形成したので、型枠の下端はベースコンクリートに当接し、硬化前のコンクリートが漏出することを防ぐことができる。第二に打設後のコンクリート内に間隔保持具の残骸が埋設されることが無いので、残骸の腐食によるコンクリートの劣化を来さず、かつ間隔保持具を繰返して使用することが可能になるので施工コストを低減できる。
【００１２】
縦枠の複数個の貫通穴を縦列に形成することで、間隔保持具の高さが調整でき、高さの異なるコンクリート型枠の施工が可能となる。
【００１３】
上枠に複数個の貫通穴を横列に形成することにより間隔保持具の幅、ひいてはコンクリート型枠間の間隔を可変調整でき、コンクリートの厚みが調整可能となる。
【００１４】
また、スライドフレームを装着することで、間隔保持具の高さが調整可能になる。
【００１５】
ブラケットの釘穴を通してベースコンクリートに釘を打ち付けることで、間隔保持具をベースコンクリートに固定できる。このため、正確にコンクリート型枠を所定間隔に保持できる。
連結用ブラケットと連結用バーで隣り合う間隔保持具を連結することで、より少ない数の間隔保持具で型枠を保持できる。
【発明を実施するための最良の形態】
【００１６】
本発明による間隔保持具は、左右一対の縦枠の上部を上枠で連結して門形に形成した枠体から成る。上枠に左右一対の上部係合部を設けるとともに、各縦枠の内面の下端部に下部係合部を設け、コンクリート型枠の上端部を上部係合部に係合するとともに、コンクリート型枠の下端部を前記下部係合部に係合することによりコンクリート型枠を各縦枠の内面に沿って立設保持するように構成する。また、各縦枠の外面の下端部に、ベースコンクリートに打ち込む釘用の釘穴を形成したブラケットを固着する。
【実施例１】
【００１７】
以下に本発明を図に基づき説明する。図１には本発明の第１実施例に係るコンクリート型枠用間隔保持具が示されている。当該間隔保持具１０は左右一対の縦枠１１の上部を上下２本の上枠１２，１３で連結して門形に形成した枠体１０Ａから成る。
【００１８】
縦枠１１と上枠１３は鉄製中空角材が用いられ、上枠１２は鉄製板材が用いられる。上枠１３はその両端部を両縦枠の上端面に載置してボルト１４又は溶接で縦枠１１に固着されている。上枠１２はその両端部を縦枠１１の上部前面にボルト１５で固着されている。上枠１２の中間部には下方凸部１２ａが設けられ、下方凸部１２ａの左右両端面と縦枠１１の内面によって上部係合部１２ｂが形成されている。
【００１９】
各縦枠１１の下端部内面に¬形のインナーブラケット１６が溶接され、該インナーブラケット１６と縦枠１１下端部の内面によって下部係合部１１ａが形成されている。また、縦枠１１の下端部外面にＬ字形のアウターブラケット１７が溶接されている。このブラケット１７の、上枠１２，１３と平行に外側へ延びる舌片部１７ａに釘穴１７ｂが形成されている。縦枠１１の下端面、インナーブラケット１６の下端部、アウターブラケット１７の舌片１７ａはほぼ面一に取り付けられている。
【００２０】
第１実施例に係るコンクリート型枠用間隔保持具１０の構造は以上の通りであって、次ぎに図２に同間隔保持具１０の使用方法を示す。ベースコンクリートｈの上に一対のコンクリート型枠ａを立て、その上から間隔保持具１０を被せる。コンクリート型枠ａは鉄製パネルａ１と、パネルａ１の上下左右両端部に溶接した鉄製のサイドフレームａ２、ベースフレームａ３、アウターフレームａ４等から構成され、とりわけアウターフレームａ４はベースフレームａ３の反パネルａ１側端部から起立している。
【００２１】
コンクリート型枠用間隔保持具１０をコンクリート型枠ａに被せるとき、下部係合部１１ａをコンクリート型枠ａのアウターフレームａ４に係合させ、かつ上部係合部１２ｂをコンクリート型枠ａの上端部に係合させる。こうすることにより、コンクリート型枠ａが縦枠１１の内面に沿ってベースコンクリートｈ上に所定間隔を保持して立設される。ついで、アウターブラケット１７の舌片１７ａの釘穴１７ｂを通してコンクリート釘１８をベースコンクリートｈに打ち込み、間隔保持具１０をベースコンクリートｈに固定する。そして、両型枠ａ間にコンクリートｇを流し込む。コンクリートｇが硬化したら、コンクリート釘１８を抜き取り、間隔保持具１０を上に持ち上げて型枠ａから外し、ついで型枠ａを撤去する。
【００２２】
本実施例に係るコンクリート型枠用間隔保持具１０によれば、枠体１０Ａを門形に形成したので、型枠ａの下端はベースコンクリートｈに当接した状態で立設でき、ベースコンクリートｈと型枠ａ下端面の間に隙間が生じない。このため、型枠ａ間に流し込んだコンクリートｇが型枠ａの外部に漏出することを防ぐことができる。第二に打設後のコンクリートａ内に間隔保持具１０の残骸が埋設されることが無いので、残骸の腐食によるコンクリートｇの劣化を来さず、かつ間隔保持具１０を繰返して使用することが可能になるので施工コストを低減できる。
【００２３】
本発明の第２実施例に係るコンクリート型枠用間隔保持具２０を図３に示す。同間隔保持具２０の各縦枠１１の両上枠１２，１３間にピン２１が固着されている。そして、先端にフック２２ａを設けた鉄筋２２と、一端に釘穴を形成したブラケット２３ａを設けた鉄筋２３及び両鉄筋２２，２３を連結するターンバックル２４を備えている。その他の構成は第１実施例に係る間隔保持具１０と同じであるので、同一の構成要素に同一の符号を付して詳細な構造の説明を省略する。
【００２４】
第２実施例に係る間隔保持具２０は第１実施例に係る間隔保持具１０と同様、コンクリート型枠ａの上から被せて両型枠ａを所定間隔に立設保持し、アウターブラケット１７に釘１８を打ち込んで間隔保持具２０をベースコンクリートｈに固定する。鉄筋２３のブラケット２３ａをコンクリート釘２５でベースコンクリートｈに固定し、鉄筋２２のフック２２ａをピン２１に係止し、ターンバックル２４を回転して間隔保持具２０の傾斜角を微調整する。こうすることにより、型枠ａをベースコンクリートｈに垂直に立設できる。
【００２５】
本発明の第３実施例に係るコンクリート型枠用間隔保持具３０を図４に示す。当該間隔保持具３０は一対の縦枠３１の上端部を一本の上枠３１で連結して門形に形成した枠体から成る。各縦枠１１の上部には複数個の貫通穴１１ｂが縦列に形成されている。一方、上枠３１の左右両端部には貫通穴３１ａが縦３列、横２列に形成されている。横２列の貫通穴３１ａの間隔は縦枠１１の隣り合う貫通穴１１ｂの間隔と同じに設定されている。そして、上枠３１のいずれかの縦列２個の貫通穴３１ａと縦枠１１の隣り合う２個の貫通穴１１ｂにボルト３２を挿通して上枠３１と縦枠１１が連結されている。
【００２６】
上枠３１の中間部には下方凸部３１ｂが形成され、同凸部３１ｂの左右両端面と縦枠１１の内面によって上部係合部３１ｃが形成されている。各縦枠１１の下端部内面には第１実施例における下部係合部１１ａと同じ構造の下部係合部（図示略）が設けられている。なお、他の構成は第１実施例に係る間隔保持具１０とおなじである。
【００２７】
第３実施例に係るコンクリート型枠用間隔保持具３０によれば、ボルト３２を挿通する上枠３１と縦枠１１の貫通穴３１ａ，１１ｂを選択することにより、間隔保持具３０の高さ及び幅を可変調整できるので、高さの異なるコンクリート型枠ａの施工及び厚みの異なるコンクリートｇの施工が可能となる。
【００２８】
本発明の第４実施例に係るコンクリート型枠用間隔保持具４０を図５に示す。当該間隔保持具４０の各縦枠４１の下端面開口に、スライドフレーム４２が進退可能に装着され、各縦枠４１の下部外面にスライドフレーム４２を解除可能にロックするロック手段として蝶ネジ４３がネジ付けられている。各スライドフレーム４２の下端部の内面にはインナーブラケット１６が、また外面にはアウターブラケット１７が固着されている。これら両ブラケット１６，１７は第１実施例の間隔保持具１０のものと同じ構造を有する。また、他の構成も第１実施例に係る間隔保持具１０と同じである。
【００２９】
第４実施例に係るコンクリート型枠用間隔保持具４０によれば、スライドフレーム４２を所要量進退させて蝶ネジ４３でロックすることにより間隔保持具４０の高さを無段階に微調整できる。
【００３０】
図６に本発明の第５実施例に係るコンクリート型枠用間隔保持具５０を示す。当該間隔保持具５０の縦枠５１の外面には等間隔で矩形の取付穴５１ａが縦列に形成されている。この取付穴５１ａは図７に示すように、Ｌ形の連結用ブラケット５２を着脱可能に取り付けるためのものであり、該ブラケット５２には隣り合う２個の取付穴５１ａに係合する係合爪５２ａが設けられている。
この間隔保持具５０によれば、取付穴５１ａに連結用ブラケットを取付け、隣り合う間隔保持具のブラケット間に鋼管５３を横架して間隔保持具を連結することにより、より少ない数の間隔保持具で型枠を保持できる。  
【産業上の利用可能性】
【００３１】
本発明のコンクリート型枠用間隔保持具１０，２０，３０，４０，５０は、主として建築物の基礎コンクリートの施工に用いられる。
【図面の簡単な説明】
【００３２】
【図１】本発明の第１実施例に係るコンクリート型枠用間隔保持具を示す斜視図である。
【図２】第１実施例に係るコンクリート型枠用間隔保持具の使用方法を示す説明図である。
【図３】本発明の第２実施例に係るコンクリート型枠用間隔保持具の使用方法を示す説明図である。
【図４】本発明の第３実施例に係るコンクリート型枠用間隔保持具を示す正面図である。
【図５】本発明の第４実施例に係るコンクリート型枠用間隔保持具を示す正面図である。
【図６】本発明の第５実施例に係るコンクリート型枠用間隔保持具を示す斜視図である。
【図７】本発明の第５実施例に係るコンクリート型枠用間隔保持具の使用方法を示す説明図である。
【図８】従来の間隔保持具とその使用方法を示す説明図である。
【符号の説明】
【００３３】
１０，２０，３０，４０，５０…コンクリート型枠用間隔保持具、１１，４１…縦枠、１２，３１…上枠、１２ｂ，３１ｃ…上部係合部、１１ａ…下部係合部、１７…アウターブラケット、１８…コンクリート釘、１１ｂ，３１ａ…貫通穴、４２…スライドフレーム、ａ…コンクリート型枠。
【図１】
2005146809.tif 000003
【図２】
2005146809.tif 000004
【図３】
2005146809.tif 000005
【図４】
2005146809.tif 000006
【図５】
2005146809.tif 000007
【図６】
2005146809.tif 000008
【図７】
2005146809.tif 000009
【図８】
2005146809.tif 000010